(57)【要約】【課題】端面を露見させる形態にて壁面に貼り付ける場合に、接着剤が側端面からはみ出すことを防止することができるタイルと、このタイルを壁面に貼り付けた装飾壁とを提供する。【解決手段】タイル１０は、長方形の板状の陶磁器製であり、裏面には、４辺の周縁部に沿って延在し、裏面を切れ目なく連続して周回する第１の凹部１１が設けられ、中央部には、タイル１０の長手方向に延在する第２の凹部１２が設けられている。また、この第１の凹部１１と第２の凹部１２とを連絡するように第３の凹部１３ａ，１３ｂが設けられている。凹部１３ａは第２の凹部１２の長手方向の両端と第１の凹部１１とを連絡しており、凹部１３ｂは第２の凹部１２の長手方向の途中と第１の凹部１１とを連絡している。【選択図】図１
2010071008.tif 000002
【特許請求の範囲】
【請求項１】
裏面に凹部が設けられたタイルにおいて、
タイル裏面の周縁部を連続して周回する第１の凹部と、
該第１の凹部よりも中央部側の第２の凹部とが設けられていることを特徴とするタイル。
【請求項２】
請求項１において、前記第１の凹部と第２の凹部とを連絡する第３の凹部が設けられていることを特徴とするタイル。
【請求項３】
請求項２において、第２の凹部は第１の凹部よりも深く、第３の凹部は、第２の凹部に向って深くなるように設けられていることを特徴とするタイル。
【請求項４】
請求項１ないし３のいずれか１項のタイルを接着剤によって壁面に接着した装飾壁であって、
前記第２の凹部に接着剤をタイル裏面よりも突出するように充填し、
この接着剤を壁面に押し付けて第１の凹部にまで該接着剤を押し広げてタイルを壁面に接着したことを特徴とする装飾壁。
【請求項５】
裏面に凹部が設けられたタイルにおいて、裏面を連続して周回するように該凹部が設けられ、
該凹部で囲まれた中央領域が凹部よりも外周側の裏面縁部と面一状か又はそれよりも後退していることを特徴とするタイル。
【請求項６】
請求項５において、該凹部と中央領域との境界部は、凹部側ほど深くなる傾斜面となっていることを特徴とするタイル。
【請求項７】
請求項５又は６のタイルを接着剤によって壁面に接着した装飾壁であって、
該中央領域に接着剤をタイルの裏面縁部よりも突出するように付着させ、
この接着剤を壁面に押し付けて押し広げてタイルを壁面に接着したことを特徴とする装飾壁。
【請求項８】
請求項４又は７において、タイルの側端面を露見させる形態にてタイルが壁面に接着されていることを特徴とする装飾壁。
【請求項９】
請求項８において、少なくとも一部の凹部が水平方向に対して傾斜して延在していることを特徴とするタイル。
【発明の詳細な説明】
【技術分野】
【０００１】
本発明は、裏面に凹部を有したタイルと、このタイルを壁面に接着剤で接着した装飾壁とに関する。本発明は、特に、タイルをその側端面を露見させる形態にて貼り付けた装飾壁として好適な装飾壁と、そのためのタイルとに関する。
【背景技術】
【０００２】
接着剤が壁面に貼り付けるタイルとして、裏面に凹部を設けたものが知られている。
【０００３】
例えば、特開２０００−３３５９５６の図１２には、タイル裏面に、直線状の凹溝を平行に設けたタイルが記載されている。
【０００４】
また、この特開２０００−３３５９５６の図８には、四分円弧状の凹溝を多重円環形に設けたタイルが記載されている。
【特許文献１】特開２０００−３３５９５６
【発明の開示】
【発明が解決しようとする課題】
【０００５】
タイルを接着剤で壁面に貼り付けてタイル壁を構築する場合、従来は、壁面（下地面）に櫛目コテを用いて均一厚みに接着剤を塗布し、その後、接着を張り付けるようにしている。この方法は、壁面の全面など広い範囲にタイルを張り付ける場合には好適である。
【０００６】
しかしながら、タイルを、その側端面を露見させる形態にて、例えば１枚だけ複数枚のタイルを相互に十分に離隔させて壁面に貼り付けて絵画や額の如き形態にて使用するいわゆるポイント貼りの場合には、このような従来の接着剤張りの工法は不向きである。
【０００７】
ポイント貼りを行うには、タイルの裏面に接着を盛り上るように付着させておき、この接着剤を壁面に押し付け、押し広げて貼るのが簡便であるが、この場合、接着剤がタイル側端面からはみ出すと、美観が損なわれる。
【０００８】
上記特開２０００−３３５９５６のタイルでは、裏面に接着剤を盛り付けるように付着させて貼り付けた場合、タイル裏面の周縁部を切れ目なく連続して周回する凹部が存在しないので、接着剤がタイルの側端面からはみ出し易い。
【０００９】
本発明は、このような問題点を解決し、側端面を露見させる形態にて壁面に貼り付ける場合に、接着剤が側端面からはみ出すことを防止することができるタイルと、このタイルを壁面に貼り付けた装飾壁とを提供することを目的とする。
【課題を解決するための手段】
【００１０】
請求項１のタイルは、裏面に凹部が設けられたタイルにおいて、タイル裏面の周縁部を連続して周回する第１の凹部と、該第１の凹部よりも中央部側の第２の凹部とが設けられていることを特徴とするものである。
【００１１】
請求項２のタイルは、請求項１において、前記第１の凹部と第２の凹部とを連絡する第３の凹部が設けられていることを特徴とするものである。
【００１２】
請求項３のタイルは、請求項２において、第２の凹部は第１の凹部よりも深く、第３の凹部は、第２の凹部に向って深くなるように設けられていることを特徴とするものである。
【００１３】
請求項４の装飾壁は、請求項１ないし３のいずれか１項のタイルを接着剤によって壁面に接着した装飾壁であって、前記第２の凹部に接着剤をタイル裏面よりも突出するように充填し、この接着剤を壁面に押し付けて第１の凹部にまで該接着剤を押し広げてタイルを壁面に接着したことを特徴とするものである。
【００１４】
請求項５のタイルは、裏面に凹部が設けられたタイルにおいて、裏面を連続して周回するように該凹部が設けられ、該凹部で囲まれた中央領域が凹部よりも外周側の裏面縁部と面一状か又はそれよりも後退していることを特徴とするものである。
【００１５】
請求項６のタイルは、請求項５において、該凹部と中央領域との境界部は、凹部側ほど深くなる傾斜面となっていることを特徴とするものである。
【００１６】
請求項７の装飾壁は、請求項５又は６のタイルを接着剤によって壁面に接着した装飾壁であって、該中央領域に接着剤をタイルの裏面縁部よりも突出するように付着させ、この接着剤を壁面に押し付けて押し広げてタイルを壁面に接着したことを特徴とするものである。
【００１７】
請求項８の装飾壁は、請求項４又は７において、タイルの側端面を露見させる形態にてタイルが壁面に接着されていることを特徴とするものである。
【００１８】
請求項９のタイルは、請求項８において、少なくとも一部の凹部が水平方向に対して傾斜して延在していることを特徴とするものである。
【発明の効果】
【００１９】
請求項１〜３のタイルにあっては、請求項４のように、第２の凹部に接着剤をタイル裏面から突出するように充填し、この接着剤を壁面に押し付けるようにして壁面に貼り付けられる。この場合、接着剤はタイルと壁面との間で押し広げられるが、第１の凹部がタイル裏面を切れ目なく連続して周回しているので、押し広げられた接着剤は第１の凹部で停止し、タイルの側端面からはみ出すことが防止される。
【００２０】
請求項２のタイルにあっては、第１の凹部と第２の凹部とを連絡する第３の凹部が設けられているので、第２の凹部内から押し広げられる接着剤の一部が第３の凹部を通ってスムーズに第１の凹部へ入り込む。
【００２１】
請求項３のタイルにあっては、第２の凹部が第１の凹部よりも深くなっているので、第２の凹部に接着剤を多く溜めることができる。また、第３の凹部が第２の凹部に向って深くなっているので、第２の凹部内の接着剤がスムーズに第３の凹部内に流入する。
【００２２】
請求項５，６のタイルにあっては、請求項７のように、中央領域に接着剤を付着させ、この接着剤を壁面に押し付けて押し広げるようにして壁面に接着される。このタイルの裏面の周縁部には凹部が切れ目なく連続して周回して設けられているので、押し広げられた接着剤がタイルの側端面からはみ出すことが防止される。
【００２３】
請求項６のタイルにあっては、押し広げられた接着剤がゆっくりと凹部内に流入するようになり、タイル側端面からの接着剤のはみ出しが確実に防止される。
【００２４】
請求項９の装飾壁によると、雨水などの水がタイルの裏面に流入してきたときに、この水が傾斜した凹部内を流れ下るので、凹部内に水が溜まりにくくなる。
【発明を実施するための最良の形態】
【００２５】
以下、図面を参照して実施の形態について説明する。
【００２６】
［第１の実施の形態（第１図〜第７図）］
第１図は第１の実施の形態に係るタイルの裏面の斜視図、第２図、第３図及び第４図は第１図のII−II線、III−III線及びIV−IV線断面図、第５図は第２の凹部への接着剤の充填方法を示す断面図、第６図は壁面への貼り付け方法を示す縦断面図、第７図はタイルを貼り付けた装飾壁を示す縦断面図である。
【００２７】
このタイル１０は、長方形の板状の陶磁器製であり、裏面には、４辺の周縁部に沿って延在し、裏面を切れ目なく連続して周回する第１の凹部１１が設けられ、中央部には、タイル１０の長手方向に延在する第２の凹部１２が設けられている。また、この第１の凹部１１と第２の凹部１２とを連絡するように第３の凹部１３ａ，１３ｂが設けられている。凹部１３ａは第２の凹部１２の長手方向の両端と第１の凹部１１とを連絡しており、凹部１３ｂは第２の凹部１２の長手方向の途中と第１の凹部１１とを連絡している。
【００２８】
この実施の形態では、第２の凹部１２は第１の凹部１１よりも深いものとなっている。第３の凹部１３ａ，１３ｂは、第１の凹部１１側から第２の凹部１２に向って深くなっている。
【００２９】
第１の凹部１１と第２の凹部１２との間は高所１４となっている。第３の凹部１３ａ，１３ｂは、この高所１４を横断するように設けられている。この実施の形態では、高所１４はタイル１０の周縁部１５と面一状となっているが、若干それよりも低くなっていてもよい。
【００３０】
このタイル１０を壁面に貼るときには、第６図のように、第２の凹部１２に接着剤１６をタイル裏面から突出するように充填し、この接着剤１６を壁面に押し付けて押し広げるようにして貼るのが好ましい。
【００３１】
接着剤１６を規定量だけ充填するために、第５図（ａ）のようにマスク１７を用いるのが好ましい。このマスク１７には、第２の凹部１２と同一大きさの開口１７ａが設けられている。この開口１７ａを通して塊状の接着剤１６を凹部１２に詰める。この際、接着剤１６の一部がマスク１７の表側に突出するように、凹部１２及び開口１７ａの容積よりも多い量の接着剤１６を用いる。次いで、マスク１５の表面に沿ってこて等（図示略）をスライドさせ、マスク１７から突出した接着剤を除去した後、マスク１７を取り払う。これにより、第５図（ｂ）の通り、規定量の接着剤１６が第２の凹部１２に充填され、しかもこの接着剤１６がタイル１０の裏面から突出した状態となる。
【００３２】
このように接着剤１６を第２の凹部１２に充填したタイル１０を、第６図の通り、壁面に押し付ける。この壁面は、コンクリート、合板等よりなる下地面１８と、この下地面１８上に形成された仕上材層１９とで構成されており、タイル１０はこの仕上材層１９に貼り付けられる。この仕上材層１９としては塗料の塗り仕上げや紙、木、合成樹脂、石材、タイルなどの張り仕上げ材の張り仕上げ等によって形成されたものである。なお、仕上材層１９が省略され、下地面１８に直接にタイル１０を貼ってもよい。
【００３３】
タイル１０を仕上材層１９に貼り付けるべく接着剤１６を仕上材層１８に押し付けると、接着剤１６はタイル１０の裏面に沿って押し広げられる。この際、接着剤１６の一部は高所１４を覆い、さらに高所１４を乗り越えた第１の凹部１１に達する。また、一部の接着剤１６は、第３の凹部１３ａ，１３ｂを通って第１の凹部１１に入り込む。第１の凹部１１が切れ目なく連続して周回するように設けられているので、接着剤１６は第１の凹部１１よりも外周側に広がらない。
【００３４】
接着剤１６の充填量は、この押し広げられた接着剤が第１の凹部１１内で止まる量とする。具体的には、凹部１１，１２，１３ａ，１３ｂの合計の容積と同量以下の接着剤量とするのが好ましい。なお、高所１４がタイル裏面周縁部１５よりも低くなっている場合には、高所１４のこの低くなった容積分だけ接着剤１６の量を多くするのが好ましい。
【００３５】
この凹部１１を有するタイル１０を貼り付けた壁面にあっては、第７図の通り、接着剤１６はタイル１０の周縁部からはみ出すことがない。そのため、タイル１０を、その側端面が露見する形態にて貼った場合でも、接着剤のはみ出しがなく、見栄えがよい。また、接着剤による貼り付け面積が確保され、タイル１０の貼り付け強度が高く安定する。
【００３６】
この実施の形態では、第１の凹部１１と第２の凹部１２とを連絡するように第３の凹部１３ａ，１３ｂを設けており、第２の凹部１２内の接着剤１６の一部が該凹部１３ａ，１３ｂを通って、第１の凹部１１へ入り込む。このため、接着剤１６を押し広げるのに要する力（すなわち、タイル１０を壁面に押し付ける力）が小さくて済み、貼り付けに要する労力が軽減される。
【００３７】
なお、タイル１０の寸法は特に限定されるものでははいが、長辺４５〜３００ｍｍ、短辺２５〜１５０ｍｍ、厚さ５〜１５ｍｍ程度が通例の寸法である。
【００３８】
第２の凹部１２の深さはタイル１０の厚さ（厚さが不均一な場合は平均厚さ）の２０〜５０％程度が好適であり、第１の凹部１１は第２の凹部１２の４０〜５０％程度が好適である。第１の凹部１１の幅（延在方向と直交方向の幅）は、３〜１５ｍｍ程度が好適である。
【００３９】
タイル１０は施釉されていてもよく、いなくてもよい。タイル１０の前面は平坦であってもよく、凹凸面であってもよい。
【００４０】
［第２の実施の形態（第８図〜第１１図）］
第８図は第２の実施の形態に係るタイルの裏面の斜視図、第９図、第１０図及び第１１図は第８図のIX−IX線、Ｘ−Ｘ線及びXI−XI線断面図である。
【００４１】
このタイル２０は、長方形の板状の陶磁器製であり、裏面には、４辺の周縁部に沿って延在し、裏面を切れ目なく連続して周回する第１の凹部２１ａ，２１ｂが設けられ、中央部には、タイル１０の長手方向に延在する第２の凹部２２が設けられている。また、この第１の凹部２１ａと第２の凹部２２ｂとを連絡するように第３の凹部２３が設けられている。
【００４２】
第１の凹部２１ａはタイル１０の双方の長手辺に沿って延在している。第１の凹部２１ｂは、この第１の凹部２１ａの長手方向の両端側と第２の凹部１２の長手方向の両端側とを連絡するように設けられている。
【００４３】
第３の凹部２３は第２の凹部１２の長手方向の途中と第１の凹部２１ａの長手方向の途中とを連絡している。
【００４４】
この実施の形態では、第２の凹部２２は第１の凹部２１ａよりも深いものとなっている。第１の凹部２１ｂ及び第３の凹部２３は、第１の凹部２１ａ側から第２の凹部２２に向って深くなっている。
【００４５】
第１の凹部２１ａと第２の凹部２２との間は高所２４となっている。第１の凹部２１ａ及び第３の凹部２３は、この高所２４を横断するように設けられている。この実施の形態では、高所２４はタイル２０の周縁部２５と面一状となっているが、若干それよりも低くなっていてもよい。
【００４６】
このタイル１０を壁面に貼るときには、図示は省略するが、前記第５図〜第７図と同様に、第２の凹部２２に接着剤１６をタイル裏面から突出するように充填し、この接着剤１６を壁面に押し付けて押し広げるようにして貼るのが好ましい。
【００４７】
このようにしてタイル２０を貼り付けた壁面にあっても、タイル２０の裏面周縁部に第１の凹部２１ａ，２１ｂが切れ目なく連続して周回しているので、接着剤１６はタイル２０の周縁部からはみ出すことがない。そのため、タイル２０を、その側端面が露見する形態にて貼った場合でも、接着剤のはみ出しがなく、見栄えがよい。
【００４８】
また、この実施の形態でも、第１の凹部２１ａと第２の凹部２２とを連絡するように第３の凹部２３及び第１の凹部２１ｂを設けており、第２の凹部２２内の接着剤１６の一部が該凹部２３，２１ｂを通って、第１の凹部２１ａへ入り込む。このため、接着剤１６を押し広げるのに要する力が小さくて済み、貼り付けに要する労力が軽減される。
【００４９】
［第３の実施の形態（第１２図〜第１３図）］
第１２図は第３の実施の形態に係るタイルの裏面の斜視図、第１３図は同平面図、第１４図、第１５図は第１３図のXIV−XIV線、XIV−XIV線及びXV−XV線断面図である。
【００５０】
このタイル３０は、長方形の板状の陶磁器製であり、裏面には、略菱形状に周回する凹部３１が設けられている。
【００５１】
この凹部３１で囲まれた中央領域３２が、凹部３１よりも外周側の裏面縁部３３に比べて凹陥した低所となっている。凹部３１はこの中央領域３２よりも深いものとなっている。凹部３１は、タイル３０の裏面の長手辺中央近傍付近と短手辺中央近傍付近とを連絡するように延在している。
【００５２】
中央領域３２は縁部３３と面一状であってもよいが、タイル３０を壁面に貼ったときにぐらつきが生じないようにするために、中央領域３２は縁部３３よりも低くなっていることが好ましい。中央領域３２の深さはタイル３０の厚さの１０〜２５％程度が好ましい。凹部３１は、中央領域３２よりも深く、タイル３０の厚さの２０〜５０％程度が好ましい。凹部３１の延在方向と直交方向の幅は３〜１５ｍｍ程度が好ましい。
【００５３】
このタイル３０を壁面に貼るときには、中央領域３２に接着剤をタイル裏面から突出するように充填し、この接着剤を壁面に押し付けて押し広げるようにして貼るのが好ましい。
【００５４】
タイル３０を貼り付けるべく接着剤を壁面に押し付けると、接着剤は中央領域３２に沿って押し広げられる。押し広げられた接着剤は、凹部３１内に入って停止する。
【００５５】
このようにしてタイル３０を貼り付けた壁面にあっても、切れ目なく連続して周回する凹部３１が設けられているので、接着剤はタイル３０の周縁部からはみ出すことがない。そのため、タイル３０を、その側端面が露見する形態にて貼った場合でも、接着剤のはみ出しがなく、見栄えがよい。
【００５６】
この実施の形態では、凹部３１が略菱形となっており、タイル３０の長辺又は短辺が略水平となるように貼った場合、凹部３１は水平方向に対して傾斜方向に延在する。そのため、雨水などの水がかかって水がタイル３０の裏面に入り込んだ場合でも、この水は凹部３１を伝ってスムーズに流れ落ちるので、凹部３１内に水が溜りにくい。
【００５７】
［第４の実施の形態（第１６図）］
第１６図（ａ）は第４の実施の形態に係るタイル３０Ａの長手方向の縦断面図であり、図（ｂ）は同タイルの短手方向の縦断面図である。
【００５８】
第１２図〜第１５図のタイル３０では、中央領域３２は全体として平坦となっているが、第１６図（ａ），（ｂ）に示すタイル３０Ａでは、中央領域３２の周縁部に、凹部３１に向って徐々に深くなるように傾斜面３４が設けられている。
【００５９】
第１６図のタイル３０Ａのその他の構成はタイル３０と同じであり、同一符号は同一部分を示している。
【００６０】
このように傾斜面３４を設けると、中央領域３２に沿って押し広げられたときに接着剤の広がり速度が、傾斜面３４付近で小さくなり、凹部３１内に入り込む接着剤の速度が小さくなる。そのため、凹部３１内に流れ込んだ接着剤が、勢い余って縁部３３にまで達することが防止される。
【００６１】
上記実施の形態はいずれも本発明の一例であり、本発明は上記実施の形態に限定されるものではない。
【図面の簡単な説明】
【００６２】
【図１】第１の実施の形態に係るタイルの裏面の斜視図である。
【図２】第１図のII−II線、III−III線及びIV−IV線断面図である。
【図３】第１図のII−II線、III−III線及びIV−IV線断面図である。
【図４】第１図のII−II線、III−III線及びIV−IV線断面図である。
【図５】第２の凹部への接着剤の充填方法を示す断面図である。
【図６】壁面への貼り付け方法を示す縦断面図である。
【図７】タイルを貼り付けた装飾壁を示す縦断面図である。
【図８】第２の実施の形態に係るタイルの裏面の斜視図である。
【図９】第８図のIX−IX線、Ｘ−Ｘ線及びXI−XI線断面図である。
【図１０】第８図のIX−IX線、Ｘ−Ｘ線及びXI−XI線断面図である。
【図１１】第８図のIX−IX線、Ｘ−Ｘ線及びXI−XI線断面図である。
【図１２】第３の実施の形態に係るタイルの裏面の斜視図である。
【図１３】第３の実施の形態に係るタイルの裏面の平面図である。
【図１４】第１３図のXVI−XVI線、XVI−XVI線及びXV−XV線断面図である。
【図１５】第１３図のXIV−XIV線、XIV−XIV線及びXV−XV線断面図である。
【図１６】（ａ）は第４の実施の形態に係るタイル３０Ａの長手方向の縦断面図であり、図（ｂ）は同短手方向の縦断面図である。
【符号の説明】
【００６３】
１０，２０，３０，３０Ａ  タイル
１１，２１，２１ａ，２１ｂ  第１の凹部
１２，２２  第２の凹部
１３ａ，１３ｂ，２３  第３の凹部
３１  凹部
３２  中央領域
３３  縁部
３４  傾斜面
【図１】
2010071008.tif 000003
【図２】
2010071008.tif 000004
【図３】
2010071008.tif 000005
【図４】
2010071008.tif 000006
【図５】
2010071008.tif 000007
【図６】
2010071008.tif 000008
【図７】
2010071008.tif 000009
【図８】
2010071008.tif 000010
【図９】
2010071008.tif 000011
【図１０】
2010071008.tif 000012
【図１１】
2010071008.tif 000013
【図１２】
2010071008.tif 000014
【図１３】
2010071008.tif 000015
【図１４】
2010071008.tif 000016
【図１５】
2010071008.tif 000017
【図１６】
2010071008.tif 000018